(57)【要約】【課題】  人体に接触させて押圧することにより、指圧治療と同時に強い磁力による磁気治療を施すことができる磁気マッサージ器を提供する。【解決手段】  本考案の磁気マッサージ器は、表面全体に磁石体で構成された多数の凸部を有しており、該磁石体が、前記表面においてＳ極とＮ極とが交互に並ぶように着磁されている球状成形体と、該球状成形体を回転自在に収容する球受けとからなることを特徴としている。前記球状成形体は、樹脂で構成されていることが好ましい。【選択図】        図１
0003104415.tif 000002
【実用新案登録請求の範囲】
【請求項１】
表面全体に磁石体で構成された多数の凸部を有しており、該磁石体が、前記表面においてＳ極とＮ極とが交互に並ぶように着磁されている球状成形体と、該球状成形体を回転自在に収容する球受けとからなる磁気マッサージ器。
【請求項２】
球状成形体が樹脂からなる請求項１記載の磁気マッサージ器。
【考案の詳細な説明】
【技術分野】
【０００１】
本考案は血行促進効果を有する磁気マッサージ器に関する。
【背景技術】
【０００２】
近年、磁石を利用した各種の健康器具が市販されている。磁石が人体に対してコリや疲れを癒す作用を有する理由は、種々検討されているが、人体に磁石を作用させると、電磁誘導により血液中に電位差が生じ、これが神経系統に影響を与えて、血液の循環が良くなり、それによって、コリや疲れや痛みを癒す作用をもたらすと考えられている。
【０００３】
また、身体の疲労した部位やツボなどを押圧する押圧器が広く利用されている。例えば、実開平７−３４８３０号公報には、随時自分の手に持って使用する押圧器が開示されている。この押圧器は、軸棒を手に持って、一端に挿入された押圧部材をツボに押し当てる方法で用いられ、他端に設けた永久磁石の磁力を身体の各部に放射する構造を有している。しかし、棒の両端に押圧部と磁気放射部が設けられているため、指圧治療と同時に磁気治療を施すことができず、使用時には、棒の端部を人体に押し当てるため、一度に狭い範囲の押圧又は磁力を放射しかできず、身体の広い範囲の治療には不向きであるという問題があった。また、コリがひどい箇所に対しては、非常に強い力で押圧器を押さえつけてコリをほぐそうとする場合が多く、指圧治療をしたためにかえって疲れてしまうことがあった。
【０００４】
【特許文献１】実開平７−３４８３０号公報
【考案の開示】
【考案が解決しようとする課題】
【０００５】
従って、本考案の目的は、人体に接触させて押圧することにより、指圧治療と同時に強い磁力による磁気治療を施すことができる磁気マッサージ器を提供することにある。
本考案の他の目的は、持ち運び容易であり、回転方向が制限されず身体の広い範囲を治療でき、少ない力でコリをほぐすことができる磁気マッサージ器を提供することにある。
【課題を解決するための手段】
【０００６】
本考案者は、上記の目的を達成するために鋭意検討した結果、球状成形体の表面全体に、特定の磁石体で構成された凸部を設けることにより、指圧治療と同時に高い磁気刺激を付与することができ、この球状成形体を球受けに収めることにより、自ら手に持って使用でき、球体の回転方向が限定されないため、人体に接触させたまま広範囲に治療を施すことができることを見出し、本考案を完成した。
【０００７】
すなわち、本考案は、表面全体に磁石体で構成された多数の凸部を有しており、該磁石体が、前記表面においてＳ極とＮ極とが交互に並ぶように着磁されている球状成形体と、該球状成形体を回転自在に収容する球受けとからなる磁気マッサージ器を提供する。前記球状成形体は、樹脂で構成されていてもよい。
【考案の効果】
【０００８】
本考案によれば、指圧治療と磁気治療とを同時に施すことにより、少ない力で十分にコリをほぐすことができるとともに、自ら手に持って使用できるため、人体に接触させたまま広範囲に治療を施すことができる。
【考案を実施するための最良の形態】
【０００９】
以下に、本考案を必要に応じて図面を参照しつつ詳細に説明する。図１は本考案の磁気マッサージ器の一例を示す断面図である。磁気マッサージ器は、表面全体に磁石体２で構成された多数の凸部１ａを有する球状成形体１と、該球状成形体１を収める球受け３からなる。この球状成形体１は、凸部１ａ内に磁石体２が埋設されている。前記凸部１ａは、人体に接触させて押圧することにより指圧刺激を与える部位である。該凸部１ａの形状が小さいほど、押圧時の当接面積が小さくなるため、より高い指圧効果を付与することができる。前記球受け３は、球状成形体１を収める球受け本体３ａと、飛び出しを防ぐためのストッパー３ｂとで構成されている。この磁気マッサージ器は、球受け３を手に持ち、球受け３から部分的に露出している球状成形体１を身体の所望の箇所に接触させ、表面に平行に滑らせるように動かして使用することにより、凸部１ａによる指圧効果と、凸部１ａを構成する磁石体２による磁気効果を同時に得ることができる。
【００１０】
前記磁石体２は、図１の拡大図に示されるように、球状成形体の表面においてＳ極とＮ極とが交互に並ぶように着磁されている。磁石体２が、球状成形体の表面においてＳ極とＮ極とが交互に並ぶように着磁されている球状成形体は、具体的には、例えば、一の磁石体２を、Ｓ極側が球状成形体の中心部、Ｎ極側が球体表面となるように配置し、これに隣接する磁石体２を、Ｓ極側が球状成形体の中心部、Ｎ極側が球体表面となるように配置する方法等により構成することができる。
【００１１】
球状成形体１を構成する素材としては、特に限定されず、例えば、樹脂、金属、木、ガラス、陶磁器、セラミックなどが挙げられる。これらの素材は、単独で又は複数を組み合わせて用いてもよい。例えば、球の中心部（核）と表層部、例えば、磁石体２と接触する部位とが異なる素材で構成されていてもよい。また、中心部が空洞であって、表層部のみで構成されていてもよい。なかでも、凸部１ａの形成が容易であり、凸部１ａ内に磁石体２を埋設しやすいなどの成形性に優れる点で、樹脂などが好ましく用いられる。前記樹脂には、ゴム、熱可塑性エラストマー、熱硬化性樹脂、熱可塑性樹脂などが含まれる。前記樹脂の具体例としては、天然ゴムや合成ゴム、シリコーンゴムなどのゴム；ポリスチレン系、ポリオレフィン系、ポリ塩化ビニル系、ポリウレタン系、ポリエステル系、ポリアミド系、１，２−ポリブタジエン系、アイオノマー等の熱可塑性エラストマー；フェノール樹脂、エポキシ樹脂、ポリウレタン系樹脂などの熱硬化性樹脂や、ポリエチレン（ＰＥ）、ポリプロピレン（ＰＰ）、エチレン−酢酸ビニル共重合体（ＥＶＡ）、ポリ塩化ビニル（ＰＶＣ）、ポリアミド（ＰＡ）、ポリエチレンテレフタレート（ＰＥＴ）、アクリル系樹脂などの熱可塑性樹脂などが挙げられる。これらの樹脂は発泡体であってもよい。
【００１２】
図１に示されるように、磁石体２が凸部１ａに埋設されている場合には、凸部１ａが、磁石体２が生ずる磁力を減衰しない構成であることが好ましい。このような凸部１ａとしては、例えば、該凸部１ａの表面が透磁性を有する素材で構成されている。透磁性を有する素材としては、例えば、ＰＥ、ＰＰ、ＰＡ、ＰＥＴ、ＰＶＣなどの熱可塑性樹脂及びこれらを複数組み合わせた材料等が挙げられる。また、凸部１ａの表面に、磁石体２の磁力を外方に放出するための小孔が設けることによっても、磁石体２の生ずる磁力の減衰を回避して、当接箇所へ効率よく磁気治療を施すことができる。
【００１３】
特に、球状成形体１が弾性を有する素材で形成されている場合には、素材の弾発力によりツボを押圧できるため、適度な押圧力の指圧作用を効果的に付与することができる。弾性を有する素材としては、上記に例示のなかでもゴム、熱可塑性エラストマーなどが挙げられる。球状成形体１は、これらの弾性を有する素材が部分的に用いられていてもよい。例えば、少なくとも表層部が弾性を有する素材で構成されている球状成形体１によれば、押圧時に適度な弾性を得ることができ、人体のツボやコリがある部分への指圧を容易に行うことができる。
【００１４】
球状成形体１の大きさは、球受け３に収容して片手で取扱可能な程度であるのが好ましい。具体的には、凸部１ａ先端間の最大距離が、例えば１〜１２ｃｍ程度であり、特に３〜１０ｃｍの範囲内であると、手のひらに収まりがよく好ましい。凸部１ａの大きさは、球状成形体１の大きさに応じて適宜選択することができ、例えば１〜２０ｍｍ、好ましくは３〜１５ｍｍ、特に５〜１２ｍｍ程度である。
【００１５】
磁石体２としては、例えば、フェライト磁石、希土類磁石、白金コバルト磁石、アルニコ磁石、ＫＳ磁石鋼などの永久磁石を用いることができる。なかでも、磁力が強く、成形性に優れる点でフェライト磁石及び希土類磁石（ボンド磁石など）が好ましく、特に、樹脂バインダーと磁性粉からなる磁石組成物の樹脂磁石成形体が好ましく用いられる。これらの磁石は、単独で又は複数を組み合わせて用いてもよい。
【００１６】
前記磁石組成物は、樹脂バインダーに磁性粉を分散させたものであればよく、目的とする樹脂磁石成形物に応じて適宜選定して用いることができる。前記樹脂バインダーとしては、前記球状成形体の素材として例示の樹脂が挙げられ、これらの１種又は２種以上を混合して用いることができる。これらの中でも合成ゴム、熱可塑性エラストマーが好ましく用いられる。前記磁性粉としては、例えば、Ｓｒフェライト，Ｂｒフェライト等のフェライト粉末やＳｍ−Ｃｏ合金，Ｎｄ−Ｆ−Ｂ合金，Ｃｅ−Ｃｏ合金等の希土類系合金粉末などが挙げられる。
【００１７】
前記磁性粉の配合割合は、要求される磁力の強さに応じて適宜選択され、例えば、組成物全体の１０〜９５重量％程度の広い範囲から選択できる。この磁石組成物には、上記バインダー成分及び磁性粉の他に公知の添加剤を添加することができる。
【００１８】
磁石体２の磁力は、血行促進作用が得られる範囲であれば特に限定されず、例えば１０〜２２０ｍＴ、好ましくは２０〜２１０ｍＴ、より好ましくは３０〜２００ｍＴ程度である。本考案においては、凸部１ａによる指圧治療を同時に行うことができ、後述のように、特定の態様で着磁された磁石体により磁力を増幅しうるため、比較的弱い磁力の磁石体を用いた場合にも高い磁気効果を発揮することができ、安全性及び経済性に優れた健康器具を提供できる。
【００１９】
磁石体２の形状は、半球状、球状、卵状、粒状、小片状、角柱形状、円柱状等の何れであってもよい。なかでも、人体に当接する面（外方）に向かって球面状に突出した形状のものは、先端に磁力が集中しやすく、より強い磁気刺激を付与することができる点で好ましい。具体的には、半球状（弾丸状）、球状、楕球状（卵状、ラグビーボール状、まゆ状）、粒状などの形状が好適に用いられる。磁石体２の大きさは、前記凸部１ａと同様の範囲が採用される。
【００２０】
球受け３を構成する球受け本体３ａ及びストッパー３ｂは、前記球状成形体１を構成する素材として例示の素材で構成することができる。なかでも、手で握りやすく、取扱性、成形性に優れる点で、樹脂や木等が好ましく用いられる。球受け本体３ａには、必要に応じて所望の箇所に持ち手や取っ手等を設けてもよい。
【００２１】
球受け本体３ａは、球状成形体１の表面形状に沿って湾曲した内面の凹部を有している。このため、球状成形体１収容時には、凹部内で球状成形体１が３６０°全方向に自在に回転することができる。ストッパー３ｂは、球受け本体３ａからの球状成形体１の飛び出しを防止する目的で球受け本体３ａに取り付けられる部材である。ストッパー３ｂの形状は、上記目的を達することができ、且つ球受け本体３ａに着脱可能な形状であれば特に限定されず、凹凸をはめ込んだり、ねじにより螺着するなどの慣用の方法により取り付けられる。
【００２２】
上記構成を有する磁気マッサージ器は、球受け本体３ａを直接手でつかむか、必要に応じて設けた取っ手部分を握り、球受け３から露出した球状成形体１を人体の表面に接触させた状態で、押し当てたり転がすことにより用いられる。
【００２３】
本考案の特徴の一つは、前記磁石体２の表面がＳ極とＮ極とが交互になるように着磁されている点にある。図２は、本考案の磁気マッサージ器の使用例の模式図である。図２は、球状成形体１を人体の皮膚５に当接した際に、Ｎ極を外方とする磁石体２が配置された凸部１ａ表面から、Ｓ極を外方とする磁石体２が配置された凸部１ａ表面に向かって磁力線４が形成され、皮膚５の深部へ磁場が到達する様子を示している。このように、磁石体２のＮ極から隣接する磁石体２のＳ極へ向かう磁力線４が規則的に形成されるため、磁極の反発による磁力の減衰が起こりにくい。しかも、同方向の複数の磁力線により磁力が増強されるため、球状成形体１を接触させた皮膚５の表面から深さ方向に磁気効果を付与することができる。このため、従来の押圧器具と比べて少ない押圧力で短時間に効率よく、優れた血行促進効果を得ることができる。磁石体を用いた磁気治療は、爆磁する時間が長いほど高い効果が得られる場合が多い。例えば、磁気マッサージ器を皮膚５表面の所望の箇所に留め、所定時間押し当てて十分に爆磁させた後、別の箇所に移動させることを繰り返す方法で使用した場合に、より高い磁気治療効果を得ることができる。
【００２４】
図３は、本考案の磁気マッサージ器の他の例を示す断面図である。図３には、表面全体に、露出した磁石体21で構成されている凸部11ａを有する球状成形体11が示されている。すなわち、部分的に埋設された楕球状の磁石体21の一端部が外方に突出し、該一端部が露出して凸部11ａを構成している。前記磁石体21としては、上記磁石体２として例示のものと同様のものを用いることができる。なかでも、同様の人体に直接触れる点で、安全性の高い素材で構成されているものが好ましく、具体的には、樹脂バインダーとして安全性の高い樹脂を用いた樹脂磁石成形体等が好適である。磁石体21の磁力、形状、大きさは、前記磁石体２と同様である。なお、露出した磁石体21には、さらに樹脂等からなる被膜が形成されていてもよい。前記球状成形体11の素材及び大きさは、前記球状成形体１と同様である。
【００２５】
本考案の磁気マッサージ器は、磁石体２で構成された凸部を設けた球状成形体１を、球受け本体３ａに収容し、飛び出しを防止するためのストッパー３ｂをはめこむことにより製造することができる。球状成形体１は、上記に例示の素材を用いて、該素材に応じた慣用の方法により成形することができる。例えば、球状成形体１を樹脂で構成する場合には、注型加工、射出成形、押出成形、ブロー成形、反応成形等の慣用の方法で製造することができる。
【００２６】
具体的には、図１の磁気マッサージ器を構成する球状成形体１は、例えば、次のように製造することができる。すなわち、内面側に、磁石体が半分収まる深さの窪みを多数設けた半球の型を用い、該窪みに、楕球状の磁石体２をＳ極とＮ極とが相互に並ぶように収め、ここへ、必要に応じて加硫剤や架橋剤等の添加剤を加えて混練した樹脂組成物を流し込み、そのまま放置して固化させることにより半球状の成形体を得、この半球状の成形体を適宜な接着剤で貼り合わせる方法により球状成形体１を製造することができる。この方法では、型の窪みの中に樹脂組成物が流れ込み、磁石体の表面全体に樹脂が周り込むことにより、磁石体の半分程度が樹脂に埋設され、凸部を構成する磁石体の端部が樹脂に被覆された球状成形体が得られる。
【００２７】
また、図３の磁気マッサージ器を構成する球状成形体11は、例えば、次のように製造することができる。すなわち、磁石体21として、合成ゴムと希土類系合金粉末からなる磁石組成物を、半球状に成形し着磁して得た樹脂磁石成形体を用い、この磁石体21を、慣用の加工方法により球形に成形した木や樹脂の表面全体に、Ｓ極とＮ極とが相互に並ぶように配置して接着剤により貼り付けることにより球状成形体11を製造することができる。こうして得られた球状成形体11は、人体に当接する凸部11aが、合成ゴムからなる樹脂磁石成形体（磁石体21）で構成されているため、安全性に優れると共に、押圧時に弾性が得られるため指圧治療が行いやすい。
【００２８】
本考案の磁気マッサージ器によれば、押圧力や押圧時間を調節したり繰り返したりすることにより、必要に応じた強度のマッサージ効果を得ることができる。しかも、球受け３が手のひらに収まるため、軽く転がすことにより人体の表面を広範囲にマッサージすることができる。そのため、自らマッサージを行う場合に、指圧効果を得るために力をかけるためにかえって疲れてしまったり、短時間で狭い範囲しか磁気治療できないということがなく、肩部や殿部、下肢後側等、その他のツボに対しても効果的に指圧および磁気治療を行なうことができる。
【図面の簡単な説明】
【００２９】
【図１】本考案の磁気マッサージ器の一例を示す断面図である。
【図２】本考案の磁気マッサージ器の使用例の模式図である。
【図３】本考案の磁気マッサージ器の他の例を示す断面図である。
【符号の説明】
【００３０】
１，11  球状成形体
1a，11a  凸部
２, 21  磁石体
３  球受け
3a  球受け本体
3b  ストッパー
４  磁力線
１  人体表面（皮膚）
【図１】
0003104415.tif 000003
【図２】
0003104415.tif 000004
【図３】
0003104415.tif 000005